(57)【要約】【課題】部品点数を減少でき、簡易な設計で安価に生産できる光伝送装置を提供することを課題とする。【解決手段】受光または発光の少なくとも何れかを行う光素子２を保持し、かつ、光信号伝送用のプラグ４０を挿入するプラグ挿入口１５を備えたホルダー１０と、前記プラグ挿入口１５を開閉するシャッター２０と、シャッター２０を閉じる方向に付勢するばね３０とを備え、前記ばねは、一対の巻き線部３１と、両方の巻き線部３１を連結し且つホルダーに接触する腕部３２とを備え、しかも、ばね３０は前記シャッター２０に保持されるとともに、該シャッター２０は、ホルダー１０に外部から取り付け可能に構成されている。【選択図】 図３
2006133302.tif 000002
【特許請求の範囲】
【請求項１】
受光または発光の少なくとも何れかを行う光素子を保持し、かつ、光信号伝送用のプラグを挿入するプラグ挿入口を備えたホルダーと、前記プラグ挿入口を開閉するシャッターと、シャッターを閉じる方向に付勢するばねとを備えた光伝送装置において、
前記ばねは、一対の巻き線部と、両方の巻き線部を連結し且つ前記ホルダーに接触する腕部とを備え、しかも、前記ばねは前記シャッターに保持されるとともに、該シャッターは、ホルダーに外部から取り付け可能に構成されてなることを特徴とする光伝送装置。
【請求項２】
前記シャッターには、各巻き線部を支持する一対の支持部が形成されていることを特徴とする請求項１に記載の光伝送装置。
【請求項３】
前記シャッターには、ばねの保持用の凹部が一対形成されていることを特徴とする請求項１又は２に記載の光伝送装置。
【請求項４】
ばね組み込み時に、該ばねが前記シャッターから外れるのを防止のための手段を有していることを特徴とする請求項１〜３の何れかに記載の光伝送装置。
【請求項５】
プラグ挿入時に、ばねがシャッターとともにホルダー内面に収納されることを特徴とする請求項１〜４の何れかに記載の光伝送装置。
【請求項６】
前記ばねは、シャッターの開閉時に、前記ホルダー内面側を摺動することを特徴とする請求項１〜５の何れかに記載の光伝送装置。
【請求項７】
前記ホルダーの内側面には、前記ばねが摺動自在に係合するガイド凹部が設けられたことを特徴とする請求項６に記載の光伝送装置。
【請求項８】
前記請求項１〜７の何れかに記載の光伝送装置を備えることを特徴とする電子機器。
【発明の詳細な説明】
【技術分野】
【０００１】
本発明は、ＤＶＤプレーヤー、ＤＶＤレコーダー、液晶ＴＶ、ＳＴＢ、ＡＶレシーバ、パソコン、ＰＤＡ、携帯電話などの電子機器に用いられる光伝送装置および電子機器に関する。
【背景技術】
【０００２】
近年、例えばＤＶＤに代表される民生機器において、光信号によるデジタル音声信号伝送が普及し、それらの送信部、受信部には、信号伝送を行わないときに、受発光部と光ファイバーケーブルのプラグ部との光学的／機械的接合部分へのホコリ、異物の侵入防止や光漏れに対する目の保護の機構が設けられている。
【０００３】
保護の機構として、従来から挿入部に保護キャップを装着するタイプやプラグの挿抜に応じて蓋が開閉するシャッター機構が用いられていた。最近では利便性や誤飲防止のためにこのシャッター機構のものが多く採用されている。
【０００４】
かかるシャッター機構を備えた光伝送装置は、受光または発光の少なくとも何れかを行う光素子を保持し、かつ、光信号伝送用のプラグを挿入するプラグ挿入口を備えたホルダーと、プラグ挿入口を開閉するシャッターと、シャッターを閉じる方向に付勢するねじりコイルばねとを備えたものである（例えば、特許文献１および特許文献２参照）。
【０００５】
この光伝送装置は、プラグが挿入されていないときには、シャッターが、ねじりコイルばねにより、ホルダー内部から外側に向けて付勢され閉じた状態になっている。光ファイバケーブルプラグ（以下、プラグという。）が挿入されるに従い、シャッターが内側に押され、プラグが完全に挿入された状態では、光素子とプラグの光学系を損なうことなく、シャッターおよびねじりコイルばねがホルダーに収納される。また、プラグが抜かれた場合には挿入時と逆で、ねじりコイルばねが元の形状に戻ろうとしてシャッターをホルダーの外側に押す力が働き、最初の状態に戻る。
【特許文献１】特開２００２−４８９５２号公報
【特許文献２】特開２００３−３２２７６６号公報
【発明の開示】
【発明が解決しようとする課題】
【０００６】
特許文献１のシャッターを備えた装置は、ホルダーが前部ホルダーと後部ホルダーとに２分割されており、シャッターを組み付ける際、シャッターを前部ホルダー内部から取り付け、コイルばねを後部ホルダーに組み込み、さらに前部ホルダーと後部ホルダーとを結合しなければならない。この為、装置の組立構造が複雑であり、部品点数が多くコストが高いという欠点があった。
【０００７】
特許文献２のシャッターを備えた装置も、ホルダーが前部ホルダーと後部ホルダーとに２分割されており、シャッターを前部ホルダー内部から取り付ける構成であるため、特許文献１の装置と同様の問題があった。
【０００８】
本発明は、このような従来の課題に鑑みてなされたものであり、部品点数を減少し、組立構造を簡単にし、コストを安くすることを課題とする。
【課題を解決するための手段】
【０００９】
本発明は、上記課題を達成するために、なされたもので、その特徴は、受光または発光の少なくとも何れかを行う光素子を保持し、かつ、光信号伝送用のプラグを挿入するプラグ挿入口を備えたホルダーと、前記プラグ挿入口を開閉するシャッターと、シャッターを閉じる方向に付勢するばねとを備えた光伝送装置において、前記ばねは、一対の巻き線部と、両方の巻き線部を連結し且つ前記ホルダーに接触する腕部とを備え、しかも、前記ばねは前記シャッターに保持されるとともに、該シャッターは、ホルダーに外部から取り付け可能に構成されていることにある。
【００１０】
そして、シャッターを、ホルダーに設けられた取り付け部に、ホルダー外部から取り付けることができるため、ホルダーを分割する構成にする必要はなく、取り付け作業が容易かつ迅速に行えると共に、ホルダー構造の設計が簡単となり、最低限の部品点数で安価に生産できる。しかも、前記ばねは、一対の巻き線部と、両方の巻き線部を連結し且つ前記ホルダーに接触する腕部とを備えているので、可動時のシャッターの動きを安定させることができる。
【００１１】
また、前記シャッターには、各巻き線部を支持する一対の取り付け軸が形成されているので、シャッターの支持部に装着したばねが外れ難くなり、さらに取り付け作業性が向上する。
【００１２】
本発明は、前記シャッターには、ばねの保持用の凹部が一対形成されているのが好ましい。また、本発明は、ばね組み込み時に、該ばねが外れるのを防止のための手段を有している場合には、シャッターをホルダーに容易且つ迅速に装着することができる。
【００１３】
本発明は、前記ホルダーの内側面に、前記ばねが摺動自在に係合するガイド凹部が設けられていることにある。かかる場合には、シャッターの開閉時に、ばねがホルダーを可動しても、ホルダーから外れるのを防止する。
【発明の効果】
【００１４】
本発明は、最低限の部品で構成でき、設計および組立構造が簡単となり、コストを安くすることができる。
【発明を実施するための最良の形態】
【００１５】
以下、本発明の実施形態について図面を用いて説明する。図１は本発明の一実施の形態の光伝送装置の正面図、図２は同側面図、図３（ａ）はシャッターが閉じた状態の断面平面図、図３（ｂ）はシャッターを開いた状態の断面平面図を示している。
【００１６】
図１〜図３に示すように、本実施の形態の光伝送装置１は、光を受光または発光する光素子２を保持すると共に、プラグが挿入されるプラグ挿入口１５を備えた単体のホルダー１０と、この挿入口１５を開閉するシャッター機構１９とから主構成されている。シャッター機構１９は、シャッター２０と、このシャッター２０を閉じる方向に付勢する弾性体としてのねじりコイルばね３０とからなる。
【００１７】
ホルダー１０は、光素子２とプラグとが収容される収容部９と、シャッター２０を回転自在に保持する取り付け部１１とを備えるように一体成型されている。
【００１８】
図４（ａ）〜（ｃ）に示すように、シャッター２０は、シャッター本体２１と、このシャッター本体２１の裏面に間隔をおいて設けられた上下一対の土台２２と、両方の土台２２から互いに対向するように突設された支持軸２３、２３と、シャッター本体２１の上下面にそれぞれ突設された回転軸２４、２４とからなる。これらシャッター本体２１、土台２２、支持軸２３，２３および回転軸２４は、合成樹脂等から一体成型されている。土台２２と支持軸２３により、支持部が構成されている。
【００１９】
また、シャッター２０の裏面には、ねじりコイルばね３０が係合する溝状の保持用の凹部２６が形成されている。なお、シャッター２０の表面には、プラグ挿入時にプラグのガイド溝となる凹部２９が形成されている。
【００２０】
ねじりコイルばね３０は、シャッター２０の支持軸２３に外嵌される一対の巻き線部３１、３１と、両方の巻き線部３１、３１の一端を連結し且つホルダー１０の内面を摺動するコの字状の可動側の腕３２と、各巻き線部３１、３１の他端から延長されシャッター本体２１の保持用の凹部２６に係合する保持側の腕３３、３３とからなる。なお、可動側の腕３２は、上下２本の可動腕部３２ａ、３２ａと、両方の可動腕部３２ａ、３２ａを連結する先端部３２ｂとからなる。
【００２１】
各保持側の腕３３、３３は、シャッター２０の保持用の凹部２６にそれぞれ係合して固定されているため、ねじりコイルばね３０はシャッター２０に対して上下方向に相対移動しないようになっている。可動側の腕３２の長さは、保持側の腕３３の長さよりも長い形状となっているが、同等であっても、その逆であってもよい。
【００２２】
シャッター２０の回転軸２４、２４は、図５（ａ）および（ｂ）に示すように、ホルダー１０の一側に取り付けられている。具体的には、ホルダー１０の一端には、前記挿入口１５を形成する取り付け部１１が突設され、この取り付け部１１は、ホルダー１０の正面視において左側の側面が開口する略コの字状に形成されている。取り付け部１１の上下端部１１ａ、１１ｂには、左側からシャッター２０の回転軸２４が嵌合される溝状の軸受け部１２が、それぞれ形成されている。
【００２３】
各軸受け部１２の溝縁には、シャッター２０の回転軸２４が、軸受け部１２から外れるを防止すべく、外れ防止手段としての抜け止め凸部１３が設けられている。また、図２に示す如く、シャッター２０の閉塞時にシャッター２０の自由端側の位置決めを行えるように、ホルダー１０のシャッター２０回転軸根元付近には、シャッターの飛び出し防止用の位置決め凸部１４が設けられている。この位置決め凸部１４が、シャッター２０の裏面に当接することにより、シャッター２０の閉塞時にシャッターの自由端側がホルダー１０から飛び出さないようになっている。
【００２４】
ホルダー１０の内側面には、図１、図３および図６に示すように、ねじりコイルばね３０の可動側の腕３２が係合して摺動するように、断面台形状の溝部からなるガイド凹部１７が、可動側の腕３２の摺動方向（前後方向）に形成されている。このガイド凹部１７の底面１７ａの底幅長Ｗは、ガイド凹部１７をねじりコイルばね３０の可動側の腕３２がガタ付くことなくスムーズに摺動できるように、可動側の腕３２の幅長（先端部３２ｂの長さ）Ｗ１と略同等か若干大きくなっている。
【００２５】
このように、ねじりコイルばね３０の可動側の腕３２が、ホルダー１０のガイド凹部１７に係合し、また、各保持側の腕３３、３３が先述のシャッター本体２１裏面の保持用の凹部２６、２６にそれぞれ係合しているため、シャッター２０の高さ方向の位置決めがされている。従って、開閉動作するシャッター２０を、ホルダー１０の取り付け部１１の上下端部１１ａ、１１ｂに接触しないようにすることができ、シャッター２０の開閉をスムーズに行える。
【００２６】
次に、以上の構成からなる光伝送装置を組み立てる場合について説明する。まず、シャッター２０の支持軸２３に、ねじりコイルばね３０を装着してシャッター機構１９を製作する（図４（ｂ）および（ｃ）参照）。ねじりコイルばね３０をシャッター２０の支持軸２３に装着する際には、ねじりコイルばね３０の巻き線部３１、３１を接近させるように上下方向（両側）から押圧し、ばね３０への押圧力を解放することで、巻き線部３１、３１を支持軸２３に装着させることができ、ねじりコイルばね３０の弾性力を利用してばね３０の外れ防止を図れる。なお、一対の支持軸２３とねじりコイルばね３０の可動側の腕３２により、ねじりコイルばね３０が外れるのを防止する手段が構成されている。
【００２７】
このようにして組み付けられたシャッター機構１９を、ホルダー１０に備えられた軸受け部１２に嵌合させる。このとき、ねじりコイルばね３０の可動側の腕３２を予めホルダー１０内に収容し、可動側の腕３２をホルダー１０のガイド凹部１７に係合させておく。なお、可動側の腕３２の長さは、保持側の腕３３の長さよりも長くなっているので、可動側の腕３２を容易にガイド凹部１７に係合させることができる。
【００２８】
さらに、シャッター機構１９をホルダー１０の外側方から内側に向けて移動させることにより、各回転軸２４、２４を各軸受け部１２、１２に押し込む。シャッター２０の回転軸２４、２４は、抜け止め凸部１３を乗越えて通過し、軸受け部１２の基部に嵌合する（図５（ａ）、（ｂ）参照）。
【００２９】
次に、前記光伝送装置１を使用する場合について説明する。
【００３０】
シャッター２０の閉塞時には、ねじりコイルばね３０の可動側の腕３２は、ホルダー１０の内側面（ガイド凹部１７）を押圧し、保持側の腕３３は、シャッター２０を閉塞する方向に付勢している（図７（ａ）参照）。プラグ４０のプラグ挿入部４１がプラグ挿入口１５を介してホルダーに挿入されると、プラグ挿入に伴いシャッター２０が回転軸２４、２４を中心にしてホルダー１０内側に回転し、ホルダー内部に収納される（図７（ｂ）参照）。このシャッター２０の回転に伴い、ねじりコイルばね３０は、可動側の腕３２が、ホルダー１０のガイド凹部１７を摺動し、プラグ４０が完全に挿入された状態でホルダー１０内部に収納される。プラグ４０を抜くと、ねじりコイルばね３０の復元力により、シャッター２０が元の閉じた状態に戻る。
【００３１】
シャッター２０の開閉動作時に、ねじりコイルばね３０の可動側の腕３２は、ホルダー１０のガイド凹部１７を摺動するため、ねじりコイルばね３０が可動しても、ホルダー１０から外れ難くなる。また、ねじりコイルばね３０の可動側の腕３２は上下に間隔を有する２本の腕部３２ａを備えるため、一本の場合に比し、可動時のシャッター２０の動きを安定させることができ、シャッター開閉を確実かつスムーズに行うことができる。
【００３２】
しかも、ねじりコイルばね３０の各腕３２、３３を、ホルダー１０およびシャッター２０に係合させることにより、シャッター２０のホルダー１０に対する高さ方向の位置決めがなされているので、シャッター２０を、自重でホルダー１０のシャッター開閉部の底面と接触することなく、開閉することができ、信頼性の高い部品を生産することができる。
【００３３】
本実施例では、ねじりコイルばね３０の可動側の腕３２を案内するガイド凹部１７を、断面台形状の溝にしたが、可動側の腕の形状に応じて任意に設定可能である。例えばねじりコイルばね３０の可動側の腕３２の先端が、三角形状を呈する場合には、ガイド凹部１７を、断面三角形状の溝に形成する。
【００３４】
前記シャッターの飛び出し防止構造としては、ホルダー１０に位置決め凸部１４を一体に設けたが、これに限らない。位置決め凸部１４と接触するシャッター２０裏面に凸部を設け、シャッター２０閉時にホルダー１０と接触し、シャッター２０がホルダー１０から飛び出さないようにしても良い。また、図８に示すように、シャッター２０の回転軸２４の断面形状の一部を角形状（非円形）に形成し、シャッター２０がホルダー１０の外側方向に開こうとするときに、シャッター２０の回転軸２４の平坦面２４ａが、ホルダー１０の軸受け部１２に面で当接することにより、シャッター２０の飛び出し防止構造とすることができる。
【図面の簡単な説明】
【００３５】
【図１】本発明の一実施の形態の一部破断を含む光伝送装置の正面図である。
【図２】同側面図である。
【図３】（ａ）は、同シャッターの閉塞状態を示す断面平面図、（ｂ）は、同シャッターの開放状態を示す断面平面図である。
【図４】本発明の一実施の形態のシャッターを示し、（ａ）は正面図、（ｂ）は側面図、（ｃ）は背面図である。
【図５】（ａ）は本発明の一実施形態の平面図、（ｂ）は同拡大平面図である。
【図６】ねじりコイルばねの可動側の腕が、ホルダーのガイド凹部に接触した状態を示す要部断面図である。
【図７】本発明の一実施の形態を示し、（ａ）はプラグ挿入前の断面平面図、（ｂ）はプラグ挿入後の断面平面図である。
【図８】図５（ｂ）の変形例を示す拡大平面図である。
【符号の説明】
【００３６】
２  光素子
１０  ホルダー
１１  取り付け部
１２  軸受け部
１５  プラグ挿入口
１７  ガイド凹部
２０  シャッター
３０  ねじりコイルばね（ばね）
３１  巻き線部
３２  腕（可動側の腕）
２６  保持用の凹部
【図１】
2006133302.tif 000003
【図２】
2006133302.tif 000004
【図３】
2006133302.tif 000005
【図４】
2006133302.tif 000006
【図５】
2006133302.tif 000007
【図６】
2006133302.tif 000008
【図７】
2006133302.tif 000009
【図８】
2006133302.tif 000010